(57)【特許請求の範囲】
【請求項１】
外周面に環状溝が形成され、この環状溝の一方の側面が側面刃となった回転駆動されるアンビルロールと、
このアンビルロールの環状溝に一部が入り込んで前記側面刃に外周側縁部が押し付けられる円板状の回転刃と
を有し、前記アンビルロールの外周面の一部に当接した状態で前記アンビルロールと前記回転刃との間に挿通される水分を含んだ帯状のウェブを連続的に切断するためのスリッターであって、
前記アンビルロールを加熱することにより、少なくとも前記側面刃を乾燥させるための加熱手段を具えたことを特徴とするスリッター。
【請求項２】
前記加熱手段が前記アンビルロールに組み込まれていることを特徴とする請求項１に記載のスリッター。
【請求項３】
前記加熱手段が前記アンビルロールに埋設された電気抵抗発熱体であることを特徴とする請求項２に記載のスリッター。
【請求項４】
前記アンビルロール内に加熱流体の通路が形成され、前記加熱手段がこの加熱流体の通路に加熱流体を供給する加熱流体供給手段を有することを特徴とする請求項１から請求項３の何れかに記載のスリッター。
【請求項５】
ウェブの切断領域に向けてウェブの搬送方向上流側から加熱空気を吹き付ける空気噴射ノズルをさらに具えたことを特徴とする請求項１から請求項４の何れかに記載のスリッター。
【請求項６】
ウェブの切断領域よりもウェブの搬送方向下流側に配され、切断されたウェブに保湿剤を塗布するための保湿剤塗布装置をさらに具えたことを特徴とする請求項１から請求項５の何れかに記載のスリッター。
【発明の詳細な説明】
【技術分野】
【０００１】
本発明は、連続的に給送される長尺ウェブを所望の幅寸法に切り分けるためのスリッターに関し、特に抄紙機にて製造された原反ティシュを個々のティシュペーパーの幅寸法に切り分ける際に好適なものである。
【背景技術】
【０００２】
トイレットペーパーやキッチンペーパーなどの衛生用紙は、抄紙機にて製造された非常に幅の広い原反をロール状に巻き取り、これをスリッターで所定幅寸法に切り分けてそれぞれ原紙としてロール状に巻き取る。そして、これら個々の原紙に対してさらに必要な後加工を施し、所定の寸法形状となった衛生用紙に仕上げている。ここで、抄紙機を通った原反は、製造時の天候や保管時の天候などによっては水分量が相対的に多くなることがあり、後続する種々の加工を円滑に行うことができるように、充分に乾燥させることが望まれる。
【先行技術文献】
【特許文献】
【０００３】
【特許文献１】特開２００７−２４５６２５号公報
【特許文献２】特許第８６８６２５号公報
【発明の概要】
【発明が解決しようとする課題】
【０００４】
抄紙機にて製造された原反をスリッターによって所定幅に切り分ける場合、原反の乾燥状態が充分でないと、原反に含まれる湿気により原反の張りが低下してスリッターの切れ味が悪くなり、最悪の場合には原反を切り分けることができなくなる可能性があった。
【０００５】
本発明の目的は、原反に含まれる湿気に起因して切れ味が低下したり、原反を切り分けることができなくなったりする不具合を抑制することができるスリッターを提供することにある。
【課題を解決するための手段】
【０００６】
本発明によるスリッターは、外周面に環状溝が形成され、この環状溝の一方の側面が側面刃となった回転駆動されるアンビルロールと、このアンビルロールの環状溝に一部が入り込んで前記側面刃に外周側縁部が押し付けられる円板状の回転刃とを有し、前記アンビルロールの外周面の一部に当接した状態で前記アンビルロールと前記回転刃との間に挿通される水分を含んだ帯状のウェブを連続的に切断するためのスリッターであって、前記アンビルロールを加熱することにより、少なくとも前記側面刃を乾燥させるための加熱手段を具えたことを特徴とするものである。
【０００７】
本発明においては、水分を含んだ帯状のウェブが回転駆動されるアンビルロールと回転刃との間に挿通されると、アンビルロールの環状溝の一方の側面にある側面刃と、これに摺接して連れ回る回転刃とにより、その挿通方向に沿って連続的に切断される。この場合、加熱手段によってアンビルロールが加熱状態にあるため、側面刃の乾燥と相俟ってアンビルロールの外周面の一部に当接した状態でここに通される帯状のウェブの乾燥もさらに促進される結果、帯状ウェブの切断が円滑に行われることとなる。
【０００８】
本発明によるスリッターにおいて、加熱手段がアンビルロールに組み込まれているものであってよい。例えば、加熱手段がアンビルロールに埋設された電気抵抗発熱体であってよい。あるいは、アンビルロール内に加熱流体の通路を形成し、この加熱流体の通路に加熱流体を供給する加熱流体供給手段を加熱手段が有するものであってよい。
【０００９】
ウェブの切断領域に向けてウェブの搬送方向上流側から加熱空気を吹き付ける空気噴射ノズルをさらに具えることができる。
【００１０】
ウェブの切断領域よりもウェブの搬送方向下流側に配され、切断されたウェブに保湿剤を塗布するための保湿剤塗布装置をさらに具えることも有効である。
【発明の効果】
【００１４】
本発明のスリッターによると、アンビルロールを加熱する加熱手段を具えているので、帯状のウェブに含まれる湿気に起因した不具合を未然に防止することができ、例えばアンビルロールの側面刃およびこれに摺接する回転刃の乾燥を促進させることができる。また、加熱手段により加熱状態にあるアンビルロールの外周面の一部に巻き付けられる帯状のウェブの乾燥も促進される結果、これを確実かつ円滑に切断することができる。
【００１５】
加熱手段がアンビルロールに組み込まれている場合、特に加熱手段がアンビルロールに埋設された電気抵抗発熱体の場合、アンビルロールの外周面を効率よく加熱することができる。加熱手段がアンビルロール内に形成された加熱流体の通路に加熱流体を供給する加熱流体供給手段を有する場合も同様に、アンビルロールを効率よく加熱することができる。
【００１６】
ウェブの切断領域に向けてウェブの搬送方向上流側から加熱空気を吹き付ける空気噴射ノズルをさらに具えた場合、側面刃や回転刃からの湿気の除去および帯状のウェブの乾燥をより促進させることができる。
【００１７】
ウェブの切断領域よりもウェブの搬送方向下流側に配され、切断されたウェブに保湿剤を塗布するための保湿剤塗布装置をさらに具えた場合、ウェブがより乾燥状態となっているため、保湿剤を効率よく含浸させることができる。
【図面の簡単な説明】
【００１８】
【図１】本発明をティシュペーパーの製造ラインに適用した実施形態の概念図である。
【図２】図１に示したスリッターの部分を抽出拡大した概念図である。
【図３】図２に示したスリッターの正面図である。
【図４】図２に示したスリッターの一部をさらに抽出拡大した概念図である。
【図５】図２に示したスリッターの一部をさらに抽出拡大した概念図である。
【発明を実施するための形態】
【００１９】
本発明によるスリッターを２枚重ねのティシュペーパーを製造するために用いる長尺ティシュの製造ラインに組み込んだ実施形態について、図１〜図５を参照しながら詳細に説明する。しかしながら、本発明はこのような実施形態に限らず、例えばティシュペーパー以外のキッチンロールなどの衛生用紙のように、任意の帯状をなすウェブを所定幅に切り分ける必要のあるものに対して適用させることができる。
【００２０】
本実施形態における長尺ティシュの製造ラインの一部を模式的に図１に示す。原反ティシュスタンド１０には、原反表面ティシュロール１１Ｒおよび原反裏面ティシュロール１２Ｒが配されており、これら原反ティシュロール１１Ｒ，１２Ｒは、製品となるティシュペーパーの幅の数倍から二十数倍の幅を有する。原反表面ティシュロール１１Ｒおよび原反裏面ティシュロール１２Ｒから引き出された帯状をなす原反ティシュ１１Ｌ，１２Ｌは、原反ティシュスタンド１０に隣接して配されたカレンダー部１３に送出される。このカレンダー部１３の下流側には、クリンパー部１４と、スリッター部１５と、保湿剤塗布部１６と、長尺ティシュ巻き取り部１７とが順に配されている。
【００２１】
カレンダー部１３は、原反ティシュロール１１Ｒ，１２Ｒから繰り出された原反ティシュ１１Ｌ，１２Ｌを重ね合わせた状態でこれらの厚みが所望の厚みとなるように調整する。
【００２２】
クリンパー部１４は、重ね合わされた原反ティシュ１１Ｌ，１２Ｌにエンボス加工を施し、原反ティシュ１１Ｌ，１２Ｌに張りとしなやかさとを与えると同時にこれらの密着度を高める。
【００２３】
スリッター部１５は、原反ティシュ１１Ｌ，１２Ｌをティシュペーパーの幅寸法に対応した所定幅の長尺ティシュ１８Ｌへと連続的に切り分ける。
【００２４】
保湿剤塗布部１６は、原反ティシュ１１Ｌ，１２Ｌの切断領域よりもその搬送方向下流側に配され、所定幅寸法に切り分けられた長尺ティシュ１８Ｌに保湿剤を含浸させ、この長尺ティシュ１８Ｌに所望のしなやかさを与える。
【００２５】
長尺ティシュ巻き取り部１７は、保湿剤塗布部１６から送り出される長尺ティシュ１８Ｌを再び巻き取る。巻き取られた長尺ティシュロール１８Ｒは、箱詰めされるティシュの組数分（例えば２００組の場合には２００個の長尺ティシュロール１８Ｒ）用意される。そして、これら長尺ティシュロール１８Ｒから引き出される長尺ティシュ１８Ｌが相互に折り重ねて積層され、所定長に断裁されて箱詰めされる。
【００２６】
本実施形態におけるスリッター部１５の部分を抽出拡大して図２に示し、その正面の断面構造を図３に示し、その一部をさらに抽出拡大して図４に示す。すなわち、本実施例におけるスリッター部１５は、アンビルロール２０と、回転刃２１と、アンビルロール２０を加熱するための後述する加熱手段と、これらを支持するフレーム２２とで主要部が構成される。
【００２７】
長手方向両側端部が図示しない軸受を介してフレーム２２に回転自在に支持されたアンビルロール２０は、コア部２０ａと、このコア部２０ａに対して一体的に嵌合される筒部２０ｂとを有するが、これらを一体的に作ることも可能である。このアンビルロール２０には、図示しない駆動源からの動力がその一側端部側から伝達され、長尺ティシュ１８Ｌの巻き取り速度に対応した周速で駆動回転する。このアンビルロール２０の筒部２０ｂの外周面には、環状溝２３がその回転軸線と平行な方向に沿って一定間隔で形成され、これら環状溝２３の一方の側面が側面刃２３ａとなっている。環状溝２３の配列間隔は、原反ティシュ１１Ｌ，１２Ｌから切り分けられる長尺ティシュ１８Ｌの幅寸法と同じになるように設定される。
【００２８】
薄い円板状をなす回転刃２１は、刃ホルダー２４に回転自在に取り付けられている。刃ホルダー２４は、アンビルロール２０の回転軸線と平行に延在するスライドロッド２５に基端部をそれぞれ固定したブラケット２６の先端部にそれぞれ取り付けられ、回転刃２１の回転軸線は、アンビルロール２０の回転軸線と平行に設定される。本実施形態におけるスライドロッド２５は、フレーム２２に対して手動にて回動させることが可能である。これにより、各回転刃２１を図２の実線で示す加工位置と、図２の二点鎖線で示す退避位置とに移動可能である。加工位置は、各回転刃２１の一部がアンビルロール２０の環状溝２３内に入り込む状態となり、退避位置は、回転刃２１がアンビルロール２０から離れた状態となる。スライドロッド２５は、その一端がフレーム２２に取り付けられた流体圧シリンダー２７に連結されている。この流体圧シリンダー２７は、図４に示すようにスライドロッド２５をその長手方向軸線に沿って微小量往復動させることができるようになっている。図４の実線で示す一方の往復動端側に設定された有効位置においては、回転刃２１の一部がアンビルロール２０の環状溝２３に入り込んで側面刃２３ａに外周側縁部が押し付けられた状態となる。この場合、アンビルロール２０の駆動回転に伴って回転刃２１も連れ回るため、アンビルロール２０と回転刃２１との間に帯状のウェブである原反ティシュ１１Ｌ，１２Ｌを挿通することにより、これを連続的に切り分けることができる。また、図４の二点鎖線で示す他方の往復動端として設定された非機能位置においては、回転刃２１が環状溝２３の幅方向中央部に位置してアンビルロール２０と非接触状態となる。この非機能位置においては原反ティシュ１１Ｌ，１２Ｌの切断はできない。スライドロッド２５を回動して回転刃２１を先の加工位置と退避位置とに切り替える場合、この非機能位置にて行われる。つまり、非機能位置と加工位置とは同じ位置となる。
【００２９】
本実施形態における加熱手段は、アンビルロール２０に埋設された電気抵抗発熱体２８と、原反ティシュ１１Ｌ，１２Ｌの切断領域に向けて原反ティシュ１１Ｌ，１２Ｌの搬送方向上流側から加熱空気を吹き付ける空気噴射ノズル２９とを有する。
【００３０】
電気抵抗発熱体２８は、アンビルロール２０のコア部２０ａと筒部２０ｂとの間に介在するようにコア部２０ａに固定され、図示しないスリップリングを介して図示しない電源に接続し、筒部２０ｂを効率よく加熱することができる。空気噴射ノズル２９は、回転刃２１と同じ間隔でアンビルロール２０の回転軸線に沿って配され、図示しない加熱空気の供給源に接続している。
【００３１】
従って、電気抵抗発熱体２８によってアンビルロール２０の側面刃２３ａを加熱することができるため、ここに付着する水分を効率よく蒸発させてその表面を乾燥状態に保つことができる。また、アンビルロール２０の側面刃２３ａに接する回転刃２１も摩擦熱に加えて側面刃２３ａからの熱伝動を受けるため、回転刃２１に付着する水分を蒸発させてその表面を乾燥状態に保つことができる。さらに、空気噴射ノズル２９から原反ティシュ１１Ｌ，１２Ｌの切断領域に向けて噴射される加熱空気は、原反ティシュ１１Ｌ，１２Ｌのさらなる乾燥を促進する。しかも、回転刃２１やアンビルロール２０の側面刃２３ａに付着する水分をより効率よく蒸発させることができる。これにより、高湿度雰囲気であっても原反ティシュ１１Ｌ，１２Ｌの円滑な切り分けを確実に行うことができる。
【００３２】
上述した実施形態では、アンビルロール２０に組み込まれる加熱手段として、電気抵抗発熱体２８をアンビルロール２０に埋設したが、加熱流体を利用するものであってもよい。
【００３３】
このような本発明によるスリッターの他の実施形態の主要部の正面形状を断面状態にて図５に示すが、先の実施形態と同一機能の要素にはこれと同一符号を記すに止め、重複する説明は省略するものとする。すなわち、本実施形態における加熱手段は、アンビルロール２０内に形成された加熱流体の通路３０と、この加熱流体の通路３０に加熱流体を供給する加熱流体供給手段３１とを有する。加熱流体の通路３０は、アンビルロール２０のコア部２０ａの外周面に形成された螺旋状の溝３０ａを有し、この溝３０ａは筒部２０ｂによって覆われた状態となっている。本実施形態における通路３０はまた、溝３０ａの一端部に連通するようにアンビルロール２０のコア部２０ａに形成された供給路３０ｂと、溝３０ａの他端部に連通する図示しない排出路とを有する。この排出路は、アンビルロール２０を加熱した後の加熱流体をアンビルロール２０の外に排出するためのものであるが、加熱流体供給手段３１に戻して加熱流体を循環させるようにしてもよい。供給路３０ｂには加熱流体供給手段３１が接続し、加熱された液体または空気などの加熱流体を供給することができるようになっている。
【００３４】
これにより、溝３０ａに接するアンビルロール２０の筒部２０ｂを効率よく加熱することができ、先の実施形態と同様に、高湿度雰囲気であっても原反ティシュ１１Ｌ，１２Ｌの円滑な切り分けを確実に行うことが可能となる。
【００３５】
なお、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のないあらゆる構成を含め、その用途や目的などに応じて任意に変更し得るものである。
【符号の説明】
【００３６】
１０  原反ティシュスタンド
１１Ｒ，１２Ｒ  原反ティシュロール
１１Ｌ，１２Ｌ  原反ティシュ
１３  カレンダー部
１４  クリンパー部
１５  スリッター部
１６  保湿剤塗布部
１７  長尺ティシュ巻き取り部
１８Ｌ  長尺ティシュ
１８Ｒ  長尺ティシュロール
２０  アンビルロール
２０ａ  コア部
２０ｂ  筒部
２１  回転刃
２２  フレーム
２３  環状溝
２３ａ  側面刃
２４  刃ホルダー
２５  スライドロッド
２６  ブラケット
２７  流体圧シリンダー
２８  電気抵抗発熱体
２９  空気噴射ノズル
３０  通路
３０ａ  溝
３０ｂ  供給路
３１  加熱流体供給手段
【図２】
0005910240.tif 000002
【図３】
0005910240.tif 000003
【図４】
0005910240.tif 000004
【図５】
0005910240.tif 000005
【図１】
0005910240.tif 000006